(57)【特許請求の範囲】
【請求項１】
コンクリート型枠及びコーナ用型枠を横方向に連結するとともに、高さ方向に積み上げた状態で、内側及び外側に所定間隔をおいて対向配置し、外側のコンクリート型枠及びコーナ用型枠の内面に沿って模様板を立設配置し、積み上げ状態の上下コーナ用型枠の接合部にて、内外側のコーナ用型枠間の間隔を保持するコンクリート型枠の間隔保持具において、
互いに係脱可能な第１保持具と第２保持具とを備え、第１保持具本体の一端には、内側の下コーナ用型枠の隅角部に係合可能な内側規制部材を固定し、第１保持具本体の他端には、模様板上の挿通孔を介して外側の上下コーナ用型枠の一側部間に挿入可能な第１挿入部材と、模様板の内面に接合可能な円錐台形状の第１接合部材とを着脱可能に取り付け、第１挿入部材の先端には、外側の上下コーナ用型枠の一側部外側縁に係合可能な第１外側規制部材を着脱可能に取り付け、第２保持具本体の一端には、第１保持具本体の中間部に係合可能な係止フックを形成し、第２保持具本体の他端には、模様板上の挿通孔を介して外側の上下コーナ用型枠の他側部間に挿入可能な第２挿入部材と、模様板の内面に接合可能な円錐台形状の第２接合部材とを着脱可能に取り付け、第２挿入部材の先端には、外側の上下コーナ用型枠の他側部外側縁に係合可能な第２外側規制部材を着脱可能に取り付けたコンクリート型枠の間隔保持具。
【請求項２】
前記第１保持具の中間部に第２保持具の係止フックを係合させた状態で、内側規制部材と第１挿入部材と第２挿入部材とがほぼ同一平面上に配置されるようにした請求項１に記載のコンクリート型枠の間隔保持具。
【請求項３】
前記第１保持具の内側規制部材には幅狭部を形成し、その幅狭部上には内側規制部材の先端を折取るための折取り部を設けた請求項１または請求項２に記載のコンクリート型枠の間隔保持具。
【請求項４】
前記第１保持具の内側規制部材には、内側の上下コーナ用型枠の内で、少なくとも上コーナ用型枠に結合可能な結合部を設けた請求項１ないし請求項３のいずれかに記載のコンクリート型枠の間隔保持具。
【請求項５】
前記第１保持具本体を金属棒により形成するとともに、内側規制部材を金属板により形成し、内側規制部材上の嵌合溝に第１保持具本体の一端を嵌合した状態で、内側規制部材を第１保持具本体に溶接固定した請求項１ないし請求項４のいずれかに記載のコンクリート型枠の間隔保持具。
【発明の詳細な説明】
【０００１】
【発明の属する技術分野】
この発明は、建築物の布基礎コンクリートなどを形成するためのコンクリート型枠の間隔保持具に関するものである。
【０００２】
【従来の技術】
従来、高さの高いコンクリート壁等の構造物を形成する場合には、複数のコンクリート型枠を長手方向に連結するとともに、高さ方向に積み上げた状態で、内側及び外側に所定間隔をおいて対向配置していた。また、コンクリート構造物のコーナ部の形成箇所においては、コンクリート型枠及びコーナ用型枠を横方向に連結するとともに、高さ方向に積み上げた状態で、内側及び外側に所定間隔をおいて対向配置していた。
【０００３】
この場合、最上部に位置する内外側のコンクリート型枠の上端部間、及び最下部に位置する内外側のコンクリート型枠の下端部間には、型枠間の間隔を保持するための端部間隔保持具を配設していた。同様に、最上部に位置する内外側のコーナ用型枠の上端部間、及び最下部に位置する内外側のコーナ用型枠の下端部間にも、型枠間の間隔を保持するための端部間隔保持具を配設していた。
【０００４】
また、積み上げ状態の上下コンクリート型枠の接合部において、内外側のコンクリート型枠間には、型枠間の間隔を保持するための中間部間隔保持具を配設していた。同様に、積み上げ状態の上下コーナ用型枠の接合部において、内外側のコーナ用型枠間にも、型枠間の間隔を保持するための中間部間隔保持具を配設していた。
【０００５】
一方、この種の高さの大きなコンクリート壁等の構造物の形成に際して、その構造物の外表面に石目模様等の凹凸模様を付与する必要がある場合には、表面に凹凸状の模様形成面を有する模様板を使用していた。すなわち、複数のコンクリート型枠及びコーナ用型枠を横方向に連結するとともに、高さ方向に積み上げた状態で、内側及び外側に所定間隔をおいて対向配置した後、外側のコンクリート型枠及びコーナ用型枠の内面に沿って模様板を立設配置していた。
【０００６】
【発明が解決しようとする課題】
ところが、前記のように高さの高いコンクリート壁等の構造物の形成に際して、外側のコンクリート型枠及びコーナ要型枠の内面に沿って模様板を立設配置した場合には、従来構成の中間部間隔保持具を配設することができないという問題があった。すなわち、積み上げ状態の上下コンクリート型枠の接合部及び上下コーナ用型枠の接合部には、模様板が隣接配置されている。そのため、これらの模様板が邪魔になって、内外側のコンクリート型枠間及びコーナ用型枠間に、中間部間隔保持具を装着することが困難である。
【０００７】
この発明は、このような従来の技術に存在する問題点に着目してなされたものである。その目的とするところは、高さの高いコンクリート壁等の構造物のコーナ部の形成に際して、外側のコンクリート型枠及びコーナ用型枠の内面に沿って模様板を立設配置した場合でも、その模様板が邪魔になることなく、積み上げ状態の上下コーナ用型枠の接合部において、内外側のコーナ用型枠間に容易に装着して使用することができるコンクリート型枠の間隔保持具を提供することにある。
【０００８】
【課題を解決するための手段】
上記の目的を達成するために、請求項１に記載の発明では、コンクリート型枠及びコーナ用型枠を横方向に連結するとともに、高さ方向に積み上げた状態で、内側及び外側に所定間隔をおいて対向配置し、外側のコンクリート型枠及びコーナ用型枠の内面に沿って模様板を立設配置し、積み上げ状態の上下コーナ用型枠の接合部にて、内外側のコーナ用型枠間の間隔を保持するコンクリート型枠の間隔保持具において、互いに係脱可能な第１保持具と第２保持具とを備え、第１保持具本体の一端には、内側の下コーナ用型枠の隅角部に係合可能な内側規制部材を固定し、第１保持具本体の他端には、模様板上の挿通孔を介して外側の上下コーナ用型枠の一側部間に挿入可能な第１挿入部材と、模様板の内面に接合可能な円錐台形状の第１接合部材とを着脱可能に取り付け、第１挿入部材の先端には、外側の上下コーナ用型枠の一側部外側縁に係合可能な第１外側規制部材を着脱可能に取り付け、第２保持具本体の一端には、第１保持具本体の中間部に係合可能な係止フックを形成し、第２保持具本体の他端には、模様板上の挿通孔を介して外側の上下コーナ用型枠の他側部間に挿入可能な第２挿入部材と、模様板の内面に接合可能な円錐台形状の第２接合部材とを着脱可能に取り付け、第２挿入部材の先端には、外側の上下コーナ用型枠の他側部外側縁に係合可能な第２外側規制部材を着脱可能に取り付けたものである。
【０００９】
請求項２に記載の発明では、請求項１に記載のコンクリート型枠の間隔保持具において、前記第１保持具の中間部に第２保持具の係止フックを係合させた状態で、内側規制部材と第１挿入部材と第２挿入部材とがほぼ同一平面上に配置されるようにしたものである。
【００１０】
請求項３に記載の発明では、請求項１または請求項２に記載のコンクリート型枠の間隔保持具において、前記第１保持具の内側規制部材には幅狭部を形成し、その幅狭部上には内側規制部材の先端を折取るための折取り部を設けたものである。
【００１１】
請求項４に記載の発明では、請求項１ないし請求項３のいずれかに記載のコンクリート型枠の間隔保持具において、前記第１保持具の内側規制部材には、内側の上下コーナ用型枠の内で、少なくとも上コーナ用型枠に結合可能な結合部を設けたものである。
【００１２】
請求項５に記載の発明では、請求項１ないし請求項４のいずれかに記載のコンクリート型枠の間隔保持具において、前記第１保持具本体を金属棒により形成するとともに、内側規制部材を金属板により形成し、内側規制部材上の嵌合溝に第１保持具本体の一端を嵌合した状態で、内側規制部材を第１保持具本体に溶接固定したものである。
【００１３】
【発明の実施の形態】
以下に、この発明の一実施形態を、図面に基づいて詳細に説明する。
図１に示すように、コンクリート型枠１１は所定厚さの横長四角板状に形成され、その外面の一側縁には複数の連結ピン１２が所定間隔をおいて配設されている。そして、高さの高いコンクリート壁等の構造物を形成する場合には、このコンクリート型枠１１が連結ピン１２により長手方向に複数個連結されるとともに、高さ方向に複数段積み上げられた状態で、内側及び外側に所定間隔をおいて対向配置される。
【００１４】
内側コーナ用型枠１３及び外側コーナ用型枠１４は平面形ほぼＬ字状に形成され、それらの外面の一側縁には複数の連結ピン１５が所定間隔をおいて配設されている。そして、高さの高いコンクリート構造物のコーナ部の形成箇所において、この内外側のコーナ用型枠１３，１４が連結ピン１２，１５により、前記コンクリート型枠１１と横方向に連結されるとともに、高さ方向に複数段積み上げられた状態で、内側及び外側に所定間隔をおいて対向配置される。
【００１５】
模様板１６は合成樹脂により平板状に形成され、その上端には折曲部１６ａが形成されるとともに、表面には凹凸状の模様形成面１６ｂが設けられている。そして、コンクリート壁等の構造物の外表面に、岩石状の凹凸模様を付与する場合には、外側のコンクリート型枠１１及びコーナ用型枠１４の上端縁に模様板１６の折曲部１６ａを係止することにより、模様板１６がそれらのコンクリート型枠１１及びコーナ用型枠１４の内面に沿って、高さ方向の全長に亘って立設配置される。
【００１６】
連結具１７は金属板により側面ほぼＨ字状に形成されている。そして、図１及び図４に示すように、外側のコンクリート型枠１１及びコーナ用型枠１４を高さ方向に積み上げる際に、各一対の連結具１７が上下のコンクリート型枠１１間及びコーナ用型枠１４間の両側部にそれぞれ介装される。これにより、上下のコンクリート型枠１１及びコーナ用型枠１４が内側及び外側へ位置ずれしないように連結されるとともに、上下のコンクリート型枠１１間及びコーナ用型枠１４間の接合部に所定の隙間１８が形成される。
【００１７】
横長スリット状の挿通孔１９は前記上下の外側コーナ用型枠１４間の隙間１８と対応するように、模様板１６の中間部に形成されている。コーナ用の中間部間隔保持具２０は積み上げ状態にある上下コーナ用型枠１３，１４の接合部において、内外側のコーナ用型枠１３，１４間に模様板１６の挿通孔１９を介して装着される。そして、この間隔保持具２０によって、内外側のコーナ用型枠１３，１４の中間部が所定間隔に保持されるようになっている。
【００１８】
なお、積み上げ状態の最上部に位置する内外側のコーナ用型枠１３，１４の上端部間、及び最下部に位置する内外側のコーナ用型枠１３，１４の下端部間には、図示しないコーナ用の端部間隔保持具が装着されている。そして、これらの端部間隔保持具によって、内外側のコーナ用型枠１３，１４の上端部及び下端部が所定間隔に保持されるようになっている。
【００１９】
また、積み上げ状態にある内外側のコンクリート型枠１１の上端部間、中間部間及び下端部間には、図示しない別構成の間隔保持具がそれぞれ装着されている。そして、これらの間隔保持具によって、内外側のコンクリート型枠１１の上端部、中間部及び下端部が所定間隔に保持されるようになっている。
【００２０】
図２〜図５に示すように、前記間隔保持具２０は、第１保持具２１と第２保持具２２とから構成されている。第１保持具２１は、第１保持具本体２５と、その第１保持具本体２５の一端に固定された内側規制部材２６とを備えている。さらに、第１保持具２１は、第１保持具本体２５の他端に着脱可能に取り付けられた第１接合部材２７と、その第１接合部材２７の外側に突設された第１挿入部材２８と、その第１挿入部材２８の先端に着脱可能に取り付けられる第１外側規制部材２９とを備えている。
【００２１】
一方、前記第２保持具２２は、第２保持具本体３０と、その第２保持具本体の一端に折曲形成された係止フック３１とを備えている。さらに、第２保持具２２は、第２保持具本体３０の他端に着脱可能に取り付けられた第２接合部材３２と、その第２接合部材３２の外側に突設された第２挿入部材３３と、その第２挿入部材３３の先端に着脱可能に取り付けられる第２外側規制部材３４とを備えている。
【００２２】
前記第１保持具本体２５は金属棒により形成され、その端部にはネジ部２５ａが形成されるとともに、中間部にはほぼ１２０度の角度で折曲する折曲部２５ｂが形成されている。第２保持具本体３０は金属棒により形成され、その端部にはネジ部３０ａが形成されている。そして、図３に示すように、第２保持具本体３０の係止フック３１が第１保持具本体２５の折曲部２５ｂに離脱可能に係合され、この係合状態で内側規制部材２６と第１挿入部材２８と第２挿入部材３３とが、ほぼ同一平面上に配置されるようになっている。
【００２３】
前記内側規制部材２６は金属板により形成され、その先端下面には下部に位置する内側コーナ用型枠１３の隅角部の内外両側縁と係合可能な一対の規制片２６ａが突設されている。幅狭部３５は内側規制部材２６の中央部に形成され、この幅狭部３５上には薄肉状の折取り部３６が幅方向に延長形成されている。
【００２４】
凹状の嵌合溝３７は内側規制部材２６の基端上面の中央に長手方向へ延長形成されている。そして、この嵌合溝３７に第１保持具本体２５のネジ部２５ａと反対側の端部を嵌合させた状態で、内側規制部材２６が第１保持具本体２５に溶接固定されている。
【００２５】
結合部としての結合孔３８は前記内側規制部材２６上に形成されている。そして、図３及び図４に示すように、内側規制部材２６が積み上げ状態の上下内側コーナ用型枠１３間に配置された状態で、この結合孔３８及び上下内側コーナ用型枠１３上の挿通孔３９に結合ピン４０が挿通される。これにより、上下内側コーナ用型枠１３が内側規制部材２６に結合されて位置規制される。
【００２６】
前記第１及び第２の接合部材２７，３２は合成樹脂により、外側に向かって次第に拡径した円錐台形状に形成され、それらの内側中央にはネジ孔２７ａ，３２ａが形成されるとともに、外側中央にはボス部２７ｂ，３２ｂが形成されている。そして、これらのネジ孔２７ａ，３２ａを第１及び第２の保持具本体２５，３０のネジ部２５ａ，３０ａに螺合することにより、第１及び第２の接合部材２７，３２が第１及び第２の保持具本体２５，３０に着脱可能に取り付けられている。また、図３及び図４に示すように、間隔保持具２０を内外側のコーナ用型枠１３，１４間に装着する際には、これらの接合部材２７，３２が模様板１６の内面に接合されるようになっている。
【００２７】
前記第１及び第２の挿入部材２８，３３は金属板により形成され、それらの基端にはローレット軸４１が突設されるとともに、先端にはスリット４２が長手方向に延長形成されている。そして、ローレット軸４１を第１及び第２の接合部材２７，３２のボス部２７ｂ，３２ｂに圧入およびかしめることにより、第１及び第２の挿入部材２８，３３が第１及び第２の接合部材２７，３２の外側面に突出固定されている。
【００２８】
また、図２に示すように、前記第１及び第２の挿入部材２８，３３の幅Ｗ１は、第１及び第２の接合部材２７，３２の最大径部の外径Ｄ１よりも小さくなるように設定されている。そして、図３及び図４に示すように、間隔保持具２０を内外側のコーナ用型枠１３，１４間に装着する際には、第１挿入部材２８が模様板１６上の挿通孔１９を介して、上下の外側コーナ用型枠１４の一側部１４ａ間の隙間１８に挿入される。また、第２挿入部材３３が模様板１６上の挿通孔１９を介して、上下の外側コーナ用型枠１４の他側部１４ｂ間の隙間１８に挿入されるようになっている。
【００２９】
前記第１及び第２の外側規制部材２９，３４は金属板製の楔部材から構成されている。そして、図３及び図４に示すように、間隔保持具２０を内外側のコーナ用型枠１３，１４間に装着する際には、第１外側規制部材２９を第１挿入部材２８上のスリット４２に嵌入することにより、その第１外側規制部材２９が上下の外側コーナ用型枠１４の一側部１４ａの外側縁に係合する。また、第２外側規制部材３４を第２挿入部材３３上のスリット４２に嵌入することにより、その第２外側規制部材３４が上下の外側コーナ用型枠１４の他側部１４ｂの外側縁に係合するようになっている。
【００３０】
次に、前記のように構成されたコンクリート型枠の間隔保持具の作用を説明する。
さて、高さの高いコンクリート壁等の構造物のコーナ部を形成する場合には、図１に示すように、コンクリート型枠１１及びコーナ用型枠１３，１４を連結ピン１２，１５により横方向に連結するとともに、高さ方向に複数段積み上げた状態で、所定間隔をおいて対向配置する。また、構造物の外表面に石目模様等の凹凸模様を付与する場合には、外側のコンクリート型枠１１及びコーナ用型枠１４の内面に沿って、模様板１６を立設配置する。
【００３１】
この場合、コーナ部においては、下部の内外側のコーナ用型枠１３，１４を対向配置した状態で、外側コーナ用型枠１４上に一対の連結具１７を配設した後、その上部に外側コーナ用型枠１４を積み上げる。これにより、上下の外側コーナ用型枠１４間の接合部には所定の隙間１８が形成される。そして、この状態で模様板１６を上下の外側コーナ用型枠１４の内面に沿って立設配置する。
【００３２】
次に、間隔保持具２０の第１保持具２１と第２保持具２２とを分離した状態で、第１保持具２１の第１挿入部材２８を、模様板１６上の挿通孔１９を介して、上下の外側コーナ用型枠１４の一側部１４ａ間の隙間１８に挿入する。これとともに、第１保持具２１の内側規制部材２６を、下部の内側コーナ用型枠１３の隅角部上に載置する。すると、一対の規制片２６ａが下部の内側コーナ用型枠１３の隅角部の内外両側縁と係合するとともに、第１保持具２１の第１接合部材２７が模様板１６の内面に接合される。
【００３３】
さらに、第２保持具２２の第２挿入部材３３を、模様板１６上の挿通孔１９を介して、上下の外側コーナ用型枠１４の他側部１４ｂ間の隙間１８に挿入する。これとともに、第２保持具２２の係止フック３１を、第１保持具２１の中間の折曲部２５ｂに係合させる。すると、第２保持具２２の第２接合部材３２が模様板１６の内面に接合される。
【００３４】
この状態で、下部の内側コーナ用型枠１３上に上部の内側コーナ用型枠１３を積み上げる。そして、上下の内側コーナ用型枠１３上の挿通孔３９及び内側規制部材２６上の結合孔３８に結合ピン４０を挿通する。すると、結合ピン４０を介して内側規制部材２６が両内側コーナ用型枠１３に結合されるとともに、内側規制部材２６の規制片２６ａが下部コーナ用型枠１３の隅角部の内外両側縁に係合されて、それらの内側コーナ用型枠１３の位置が規制される。
【００３５】
その後、第１保持具２１の第１挿入部材２８上のスリット４２に第１外側規制部材２９を嵌入すると、その第１外側規制部材２９が上下の外側コーナ用型枠１４の一側部１４ａの外側縁に係合される。また、第２保持具２２の第２挿入部材３３上のスリット４２に第２外側規制部材３４を嵌入すると、その第２外側規制部材３４が上下の外側コーナ用型枠１４の他側部１４ｂの外側縁に係合される。そして、この第１及び第２の外側規制部材２９，３４と第１及び第２の接合部材２７，３２との間で、外側コーナ用型枠１４の両側部１４ａ，１４ｂの位置が規制される。
【００３６】
この状態で、コンクリート型枠１１及びコーナ用型枠１３，１４間にコンクリートを打設すると、高さの高いコンクリート壁等の構造物が形成される。また、模様板１６の模様形成面１６ｂにより、構造物の外表面に岩石状の凹凸模様が転写される。そして、このコンクリート構造物のコーナ部内には、間隔保持具２０の第１保持具本体２５及び第２保持具本体３０を含む中間部分が埋設される。
【００３７】
一方、コンクリート構造物の形成後に、コーナ部においてコーナ用型枠１３，１４を離型する場合には、まず結合ピン４０を結合孔３８及び挿通孔３９から抜き取り、上部の内側コーナ用型枠１３を取り外す。この状態で、第１保持具２１の内側規制部材２６を折取り部３６において折取って、コンクリート構造物上からの内側規制部材２６の突出部分を除去する。その後、下部の内側コーナ用型枠１３を取り外す。
【００３８】
次に、第１保持具２１の第１外側規制部材２９を第１挿入部材２８のスリット４２から抜き取るとともに、第２保持具２２の第２外側規制部材３４を第２挿入部材３３のスリット４２から抜き取る。この状態で、上部及び下部の外側コーナ用型枠１４をそれぞれ取り外すとともに、模様板１６をコンクリート構造物の表面から離型する。
【００３９】
その後、第１保持具２１の第１挿入部材２８及び第１接合部材２７を回転させて、第１接合部材２７のネジ孔２７ａを第１保持具本体２５のネジ部２５ａから螺退させ、第１挿入部材２８及び第１接合部材２７を第１保持具本体２５の端部から取り外す。同様に、第２保持具２２の第２挿入部材３３及び第２接合部材３２を回転させて、第２接合部材３２のネジ孔３２ａを第２保持具本体３０のネジ部３０ａから螺退させ、第２挿入部材３３及び第２接合部材３２を第２保持具本体３０の端部から取り外す。
【００４０】
そして、この第１及び第２の接合部材２７，３２の取り外しにより、コンクリート構造物の外表面に形成された凹所にモルタルを充填して、コンクリート構造物の表面を補修すれば、コンクリート構造物の形成作業が完了する。
【００４１】
前記の実施形態によって発揮される効果について、以下に記載する。
・  この実施形態のコンクリート型枠の間隔保持具においては、互いに係脱可能な第１保持具２１と第２保持具２２とが装備されている。そして、第１保持具本体２５の一端には、内側の下コーナ用型枠１３の隅角部に係合可能な内側規制部材２６が固定されたいる。また、第１保持具本体２５の他端には、模様板１６上の挿通孔１９を介して外側の上下コーナ用型枠１４の一側部１４ａ間に挿入可能な第１挿入部材２８と、模様板１６の内面に接合可能な円錐台形状の第１接合部材２７とが着脱可能に取り付けられている。さらに、第１挿入部材２８の先端には、外側の上下コーナ用型枠１４の一側部外側縁に係合可能な第１外側規制部材２９が着脱可能に取り付けられている。
【００４２】
一方、第２保持具本体３０の一端には、第１保持具本体２５の中間部に係合可能な係止フック３１が形成されている。また、第２保持具本体３０の他端には、模様板１６上の挿通孔１９を介して外側の上下コーナ用型枠１４の他側部１４ｂ間に挿入可能な第２挿入部材３３と、模様板１６の内面に接合可能な円錐台形状の第２接合部材３２とが着脱可能に取り付けられている。さらに、第２挿入部材３２の先端には、外側の上下コーナ用型枠１４の他側部外側縁に係合可能な第２外側規制部材３４が着脱可能に取り付けられている。
【００４３】
このため、高さの高いコンクリート壁等の構造物のコーナ部の形成に際して、外側のコンクリート型枠１１及びコーナ用型枠１４の内面に沿って模様板１６を立設配置した場合でも、その模様板１６が邪魔になることなく、積み上げ状態の上下コーナ用型枠１３，１４の接合部において、内外側のコーナ用型枠１３，１４間にコーナ用の間隔保持具２０を容易に装着することができる。
・  この実施形態のコンクリート型枠の間隔保持具においては、第１保持具２１の中間部に第２保持具２２の係止フック３１を係合させた状態で、内側規制部材２６と第１挿入部材２８と第２挿入部材３３とがほぼ同一平面上に配置されるようになっている。
【００４４】
このため、間隔保持具２０を内外側のコーナ用型枠１３，１４間に、ぐらつき等を生じることなく安定状態で架設配置することができる。
・  この実施形態のコンクリート型枠の間隔保持具においては、第１保持具２１の内側規制部材２６に幅狭部３５が形成され、その幅狭部３５上には内側規制部材２６の先端を折取るための折取り部３６が設けられている。
【００４５】
このため、コンクリート構造物の形成後に、その構造物から突出した内側規制部材２６の先端を、幅狭部３５の折取り部３６において、容易に折取り除去することができる。
・  この実施形態のコンクリート型枠の間隔保持具においては、第１保持具２１の内側規制部材２６に、内側の上下コーナ用型枠１３の内で、少なくとも上コーナ用型枠１３に対し、結合ピン４０等を介して結合可能な結合部としての結合孔３８が設けられている。
【００４６】
このため、内側規制部材２６によって、内側の上下コーナ用型枠１３を所定位置に確実に規制保持することができる。
・  この実施形態のコンクリート型枠の間隔保持具においては、第１保持具本体２５が金属棒により形成されるとともに、内側規制部材２６が金属板により形成されている。そして、内側規制部材２６上の嵌合溝３７に第１保持具本体２５の一端を嵌合した状態で、内側規制部材２６が第１保持具本体２５に溶接固定されている。
【００４７】
このため、第１保持具２１の構造が簡単であるとともに、所定の強度を確保することができ、しかも、第１保持具本体２５と内側規制部材２６とを所定位置に正確に位置決めして、捩じれ等が生じることなく確実に固定することができる。・  この実施形態のコンクリート型枠の間隔保持具においては、第１及び第２の挿入部材２８，３３の幅Ｗ１が第１及び第２の接合部材２７，３２の外径Ｄ１よりも小さくなるように設定されている。
【００４８】
このため、模様板１６上に第１及び第２の挿入部材２８，３３を挿通するための大きな挿通孔１９を形成する必要がなくて、構造物の表面上で模様が欠損する部分を少なくすることができる。
・  この実施形態のコンクリート型枠の間隔保持具においては、第１及び第２の外側規制部材２９，３４が、第１及び第２の挿入部材２８，３３上のスリット４２に着脱可能な楔部材から構成されている。
【００４９】
このため、第１及び第２の挿入部材２８，３３上のスリット４２に楔部材よりなる第１及び第２の外側規制部材２９，３４を打ち込むという簡単な操作により、外側のコーナ用型枠１４の両側部１４ａ，１４ｂを確実に位置規制することができる。
・  この実施形態のコンクリート型枠の間隔保持具においては、第１及び第２の接合部材２７，３２が合成樹脂により形成されている。このため、模様板１６に対する第１及び第２の接合部材２７，３２の接合により、模様板１６の表面が傷付くおそれを防止することができる。
【００５０】
次に、間隔保持具２０の位置決め構成の別の実施形態を図６に基づいて説明する。
さて、この実施形態においては、第１保持具２１の内側規制部材２６の上下両面に、結合部としての結合ピン４３が突出固定されている。そして、この結合ピン４３を上部及び下部の内側コーナ用型枠１３の挿通孔３９に挿通することにより、内側規制部材２６が上下両内側コーナ用型枠１３に結合されて、それらの内側コーナ用型枠１３の位置が規制されるようになっている。この実施形態では、上部及び下部の内側コーナ用型枠１３の挿通孔３９に結合ピン４３を挿通することにより間隔保持具２０の一端が規制されることから、前記一対の規制片２６ａは不要である。
【００５１】
従って、この別の実施形態においても、前述した実施形態と同様の作用効果を発揮させることができる。
なお、この発明は、次のように変更して具体化することも可能である。
【００５２】
・  第１及び第２の保持具本体２５，３０、内側規制部材２６、第１及び第２の接合部材２７，３２、第１及び第２の挿入部材２８，３３、第１及び第２の外側規制部材２９，３４を、全て同一の金属材料で構成したり、接合部材２７，３２のみをアルミニウムで構成したりすること。
【００５３】
このように構成した場合、間隔保持具２０の構成を簡易にしたり、所要の強度を保持することができる。
・  第１保持具本体２５に対する内側規制部材２６の規制片２６ａを内側コーナ用型枠１３の隅角部の内外両側縁に対応するように折曲げ形成すること。
【００５４】
このように構成した場合、間隔保持具２０をより安定した状態で位置決め固定することができる。
・  第１保持具本体２５に対する第１接合部材２７及び第１挿入部材２８の着脱構造、並びに第２保持具本体３０に対する第２接合部材３２及び第２挿入部材３３の着脱構造として、連結ピンを使用したりして適宜に変更して構成すること。
【００５５】
・  前記図１から図５に示した実施形態において、内側規制部材２６の結合孔３８を省略すること。
このように構成した場合でも、内側規制部材２６の規制片２６ａを下部の内側コーナ用型枠１３の隅角部の内外両側縁に係合させることができ、間隔保持具２０の一端を位置規制することができる。
【００５６】
・  前記図１から図５に示した実施形態において、内側規制部材２６の規制片２６ａを省略すること。
このように構成した場合、上下の内側コーナ用型枠１３上の挿通孔３９及び内側規制部材２６上の結合孔３８に結合ピン４０を挿通することにより、内側規制部材２６を上下の内側コーナ用型枠１３に位置決め固定することができる。
【００５７】
さらに、前記実施形態より把握される技術的思想について以下に記載する。
・  前記第１および第２保持具本体の端部に雄ネジを形成するとともに、第１および第２接合部材に第１および第２保持具本体の雄ネジがそれぞれ螺合される雌ネジ孔を形成した請求項５に記載のコンクリート型枠の間隔保持具。
【００５８】
このように構成した場合、第１および第２保持具本体をそれぞれ第１および第２接合部材に容易かつ確実に一体化することができる。
・  前記第１および第２挿入部材の基端をローレット軸とし、各ローレット軸をそれぞれ第１および第２接合部材に圧入およびかしめた請求項１ないし請求項５のいずれかに記載のコンクリート型枠の間隔保持具。
【００５９】
このように構成した場合、第１および第２接合部材に対して第１および第２挿入部材をそれぞれ回転することなく、確実に固着させることができる。
【００６０】
【発明の効果】
この発明は、以上のように構成されているため、次のような効果を奏する。
請求項１に記載の発明によれば、高さの高いコンクリート壁等の構造物のコーナ部の形成に際して、外側のコンクリート型枠及びコーナ用型枠の内面に沿って模様板を立設配置した場合でも、その模様板が邪魔になることなく、積み上げ状態の上下コーナ用型枠の接合部において、内外側のコーナ用型枠間に間隔保持具を容易に装着して使用することができる。
【００６１】
請求項２に記載の発明によれば、間隔保持具を内外側のコーナ用型枠間に、ぐらつき等を生じることなく安定状態で架設配置することができる。
請求項３に記載の発明によれば、コンクリート構造物の形成後に、その構造物から突出した内側規制部材の先端を、幅狭部の折取り部において、容易に折取り除去することができる。
【００６２】
請求項４に記載の発明によれば、内側規制部材によって、内側の上下コーナ用型枠を所定位置に確実に規制保持することができる。
請求項５に記載の発明によれば、第１保持具の構造が簡単であるとともに、所定の強度を確保することができ、しかも、第１保持具本体と内側規制部材とを所定位置に正確に位置決めして、捩じれ等が生じることなく確実に固定することができる。
【図面の簡単な説明】
【図１】  コンクリート型枠の間隔保持具の使用状態を示す分解斜視図。
【図２】  その間隔保持具を拡大して示す分解斜視図。
【図３】  間隔保持具の使用状態を示す要部横断面図。
【図４】  図３の４−４線における部分断面図。
【図５】  図４の５−５線における拡大断面図。
【図６】  間隔保持具の位置決め構成の別の実施形態を示す要部断面図。
【符号の説明】
１１…コンクリート型枠、１３…内側コーナ用型枠、１４…外側コーナ用型枠、１４ａ…一側部、１４ｂ…他側部、１６…模様板、１６ｂ…模様形成面、１９…挿通孔、２０…間隔保持具、２１…第１保持具、２２…第２保持具、２５…第１保持具本体、２５ａ…ネジ部、２６…内側規制部材、２６ａ…規制片、２７…第１接合部材、２７ａ…ネジ孔、２８…第１挿入部材、２９…第１外側規制部材、３０…第２保持具本体、３０ａ…ネジ部、３１…係止フック、３２…第２接合部材、３２ａ…ネジ孔、３３…第２挿入部材、３４…第２外側規制部材、３５…幅狭部、３６…折取り部、３７…嵌合溝、３８…結合部としての結合孔、４０…結合ピン、４３…結合部としての結合ピン。
【図１】
0003643466.tif 000002
【図２】
0003643466.tif 000003
【図３】
0003643466.tif 000004
【図４】
0003643466.tif 000005
【図５】
0003643466.tif 000006
【図６】
0003643466.tif 000007